(57)【要約】【課題】設置床面積が小さい受配電設備を提供する。【解決手段】計器用変圧変流器スペースは変圧器の上部の電力用コンデンサの上部の負荷開閉器の上部に配したことにより、受配電設備の設置床面積は計器用変圧変流器スペース又は変圧器又は電力用コンデンサのいずれかの最大取り付け床面積でほぼ決定されるため設置床面積の小さな受配電設備を提供することができる。【選択図】　図１
2004112962.tif 000002
【特許請求の範囲】
【請求項１】
受配電設備の底部をなす受配電設備台座と、前記受配電設備台座の周囲から上方に向かって鉛直面を有して受配電設備の外装をなし、前記鉛直面の少なくとも１つの面に扉構造を持つ受配電設備ケースと、前記受配電設備ケースに囲まれ、前記受配電設備台座の上部に配した変圧器と、前記変圧器の上部空間に配した高圧端子を有する電力用コンデンサと、前記電力用コンデンサの上部空間に配した、操作ハンドル及び二次側端子を有する負荷開閉器と、前記負荷開閉器の上部空間に配した、計器用変圧変流器を取り付けるための計器用変圧変流器取り付けスペースとを備えた受配電設備。
【請求項２】
受配電設備の底部をなし、入線口を有する受配電設備台座と、前記受配電設備台座の周囲から上方に向かって鉛直面を有して受配電設備の外装をなし、前記鉛直面の少なくとも１つの面に扉構造を持つ受配電設備ケースと、前記受配電設備ケースに囲まれ、前記受配電設備台座の上部に配した変圧器と、前記変圧器の上部空間に配した高圧端子を有する電力用コンデンサと、前記電力用コンデンサの上部空間に配した、操作ハンドル及び二次側端子を有する負荷開閉器と、前記負荷開閉器の上部空間に配した、計器用変圧変流器を取り付けるための計器用変圧変流器取り付けスペースと、前記変圧器、前記電力用コンデンサ及び前記負荷開閉器の前面左部または前面右部に配した、受配電設備の外部から入力される高圧ケーブルを配するための高圧ケーブル配線スペースと、前記変圧器の前部に配した前記高圧ケーブルを固定するブラケットと、前記変圧器前部に配した、操作ハンドルを有する配線用遮断器とを備え、受配電設備の外部から入力される前記高圧ケーブルを前記受配電設備台座の前記入線口に通し、さらに前記ブラケットに通すようにして前記高圧ケーブルの配線位置を確保するようにした受配電設備。
【請求項３】
負荷開閉器および配線用遮断器の操作ハンドルの操作面と、コンデンサの高圧端子とを受配電設備の正面側にして配し、受配電設備ケースは正面側にのみ扉構造を有するようにした請求項１または２記載の受配電設備。
【請求項４】
受配電設備ケースの扉を有する面側の、受配電設備台座または受配電設備ケースの少なくともいずれかに、少なくとも１箇所換気口を設けた請求項１から３のいずれかに記載の受配電設備。
【請求項５】
負荷開閉器は、操作ハンドルの操作面を受配電設備の正面側に、固定面を鉛直方向にして配し、二次側端子が電力用コンデンサの高圧端子の近傍になるように配した請求項１から４のいずれかに記載の受配電設備。
【請求項６】
負荷開閉器の二次側端子と電力用コンデンサの高圧端子とを金属帯で接続した請求項５記載の受配電設備。
【請求項７】
受配電設備の底部をなす受配電設備台座と、前記受配電設備台座の周囲から上方に向かって鉛直面を有して受配電設備の外装をなす受配電設備ケースと、前記受配電設備ケースに囲まれ、前記受配電設備台座の上部に配した変圧器と、前記変圧器の上部空間に配した高圧端子を有する電力用コンデンサと、前記電力用コンデンサの上部空間に配した、二次側端子を有する負荷開閉器と、前記負荷開閉器の固定面と受配電設備ケースの背面板間に前記負荷開閉器を固定するために配した、空洞部を有するアダプタ金具と、前記電力用コンデンサと前記負荷開閉器の間の空間に配した、高圧端子および前記高圧端子の反対側に接地端子を有する複数の避雷器とを備え、前記避雷器の高圧端子が受配電設備の前方かつ下向きとなるよう傾斜をつけて配するとともに、接地端子を前記アダプタ金具の空洞部に入るようにした受配電設備。
【請求項８】
受配電設備の底部をなす受配電設備台座と、前記受配電設備台座の周囲から上方に向かって鉛直面を有して受配電設備の外装をなす受配電設備ケースと、前記受配電設備ケースに囲まれ、前記受配電設備台座の上部に配した変圧器と、前記変圧器の上部空間に配した高圧端子を有する電力用コンデンサと、前記電力用コンデンサの上部空間に配した、二次側端子を有する負荷開閉器と、前記電力用コンデンサと前記変圧器の間の空間に配した、高圧端子および前記高圧端子の反対側に接地端子を有する複数の避雷器とを備え、前記避雷器の高圧端子が受配電設備の前方かつ上向きとなるよう傾斜をつけて配した受配電設備。
【請求項９】
電力用コンデンサの高圧端子、負荷開閉器の二次側端子、及び避雷器の高圧端子のうち少なくとも２端子間を第１の金属帯で接続するとともに、複数の避雷器の接地端子同士を第２の金属帯で接続固定し、さらに第２の金属帯を受配電設備ケースに固定した請求項７または８記載の受配電設備。
【請求項１０】
外装をなす変圧器ケースと、前記変圧器ケース内に配した変圧器機能部と、前記変圧器ケースと前記変圧器機能部とを機械的に絶縁して固定する緩衝ゴムと、前記変圧器ケースの略鉛直方向の全面に配した放熱リブと、前記放熱リブの外周に配し、受配電設備機器類を取り付けるための機器取付用金具と、前記変圧器を吊り上げ移動する際に使用する吊上用金具とを備えた変圧器。
【請求項１１】
変圧器ケースに配した放熱リブと機器取付用金具の間に遮熱手段を備えた請求項１０記載の変圧器。
【請求項１２】
変圧器は、外装をなす変圧器ケースと、前記変圧器ケース内に配した変圧器機能部と、前記変圧器ケースと前記変圧器機能部とを機械的に絶縁して固定する緩衝ゴムと、前記変圧器ケースの略鉛直方向の全面に配した放熱リブと、前記放熱リブの外周に配した、受配電設備機器類を取り付けるための機器取付用金具と、前記変圧器ケースと前記機器取付用金具の間に設けた遮熱手段と、前記変圧器を吊り上げ移動する際に使用する吊上用金具とを備えた請求項１記載の受配電設備。
【発明の詳細な説明】
【０００１】
【発明の属する技術分野】
本発明は受配電設備に関するものである。
【０００２】
【従来の技術】
近年、受配電設備は接置床スペースの縮小、設備占有スペースの縮小、及び小型化に関する技術が知られている（例えば特許文献１参照）。
【０００３】
図９から図１２を用いて、従来の受配電設備について説明する。図９は受配電設備の電気系統図、図１０、図１１はそれぞれ、従来の受配電設備内部の右側面断面図および正面図、図１２は、従来の受配電設備の設置状態を示す図である。
【０００４】
図１０において、受配電設備の筐体底部に配した受配電設備台座２の上部に、受配電設備ケース３を配している。受配電設備ケース３には、図示しないが右側面及び背面に換気口を設け、正面及び左側面に開閉可能な扉を設けている。
【０００５】
また、変圧器５は、受配電設備ケース３に囲まれ、受配電設備台座２の上面に配し、変圧器ケース５ｂが変圧器５の外装をなしている。さらに変圧器５は、変圧器機能部５ａを内蔵し、変圧器機能部５ａは、変圧器ケース５ｂ内部には、固定した鉄芯とコイルとを主体として構成している。
【０００６】
５ｄは、変圧器機能部５ａの低圧立ち上がりリード線と内部接続した低圧端子である。また、５ｇは変圧器ケース５ｂの正面に配した機器取付用金具であり、この機器取付用金具５ｇに、配線用遮断器１２を固定する。１４は低圧電線であり、配線用遮断器１２の電源側端子１２ａと低圧端子５ｄとを接続する。１９は配線用遮断器１２の負荷側端子２０と電気的に接続し受配電設備の外部へ出力する低圧ケーブル用の配線スペースであり、低圧ケーブルを配線するスペースとして保有している。
【０００７】
１８は、変圧器機能部５ａの高圧立ち上がりリード線と内部接続した高圧端子、６は変圧器５の上部に配した電力用コンデンサであり、高圧絶縁電線７ｂは高圧端子１８と電力用コンデンサ６の高圧端子を電気的に接続している。
【０００８】
また、高圧接続手段７ａは、変圧器５の上部に配した負荷開閉器８の二次側端子１０と電力用コンデンサ６の高圧端子７とを電気的に接続する高圧絶縁電線製の高圧接続手段である。さらに、変圧器５の上部かつ電力用コンデンサ６の下部に避雷器２４を配している。さらに、変圧器ケース５ｂの右側面及び左側面及び背面には放熱リブ５ｆを配している。
【０００９】
また、図１１において１１は、変圧器５の上部に、負荷開閉器８及び電力用コンデンサ６の左側に配した計器用変圧変流器スペースであり、受配電設備内部内に、計器用変圧変流器を配するためのスペースとして設けている。また、３３は受配電設備の底面に入線口を備え、計器用変圧変流器スペース１１の下部かつ変圧器５の左側に配した高圧ケーブル用スペースであり、高圧ケーブルを配するスペースを保有している。
【００１０】
また図１２において、点ａ、点ｂ、点ｃ及び点ｄはそれぞれ、受配電設備の設置床スペースの後左角点、後右角点、前右角点、前左角点を示し、点Ｅ、点Ｆ、点Ｇ、点Ｈはそれぞれ、受配電設備の設置保有スペースの後左角点、後右角点、前右角点、前左角点を示し、１ａは受配電設備の設置床スペース各角部を結んだ四角形ａｂｃｄを指す受配電設備の設置床スペース、１ｂは受配電設備の設置保有スペース各角部を結んだ四角形ＥＦＧＨを指す受配電設備の設置保有スペースを示す。
【００１１】
なお、受配電設備の設置保有スペース１ｂは、火災予防条例準則第１１条によれば、受配電設備の設置床面積に加え、操作面からさらに１０００ｍｍ、点検面からさらに６００ｍｍ、換気面からさらに２００ｍｍ確保した面積が必要とされている。
【００１２】
【特許文献１】
特開平７−３２２４２６号公報（第７頁、図２１）
【００１３】
【発明が解決しようとする課題】
しかし、上記に示したような従来の受配電設備は、計器用変圧変流器スペース１１が負荷開閉器８の左側空間に設けてられているため受配電設備の設置床面積は負荷開閉器８と計器用変圧変流器スペース１１との両方の取付床面積が必要となり受配電設備の設置床面積が大きくなるという課題があった。
【００１４】
また、受配電設備の正面、背面、右側面及び左側面は、操作面、点検面又は換気面のいずれかに該当するため、前述したように受配電設備の設置保有スペースをとることが義務付けられているため、その面積が大きくなるという課題があった。
【００１５】
また、電力用コンデンサ６の高圧端子は、高圧絶縁電線製の高圧接続手段７ａ及び高圧絶縁電線７ｂで接続されていて機械的には固定されていないので受配電設備の輸送時等において前記端子部及び高圧接続手段７ａ及び高圧絶縁電線７ｂが破損する恐れがあるという課題を有していた。
【００１６】
また、避雷器２４の取り付け構造は避雷器２４専用の取付金具が必要となるとともに受配電設備の高さ方向に取付用スペースを設ける必要があり、受配電設備の小型化が困難であるという課題があった。
【００１７】
また、変圧器５に設けた機器取付金具１ｇに配線用遮断器１２等の受配電設備を構成する機器を取り付けると変圧器５が発する振動により配線用遮断器１２に接続している低圧電線１４や低圧ケーブルスペース１９に取り付ける低圧ケーブル等の締結力が低下しやすく、受配電設備の品質の継続維持が困難であるという課題があった。
【００１８】
また、放熱リブ５ｆの最大取り付け可能面は変圧器ケース５ｂの鉛直面の３面となり放熱効率が悪くなるため変圧器５自体の小型化が困難であるという課題があった。
【００１９】
また、受配電設備を構成する機器は受配電設備ケース３内に変圧器５を収納固定した後に取り付けなくてはならないので、前記受配電設備を構成する機器を取り付ける作業スペースが必要となり受配電設備を小型化するのが困難であるという課題があった。
【００２０】
本発明は前記従来の問題点を解決するもので、受配電設備の設置床面積及び設置必要面積の省スペース化、輸送時の不具合改善、避雷器を容易に取り付ける構造の提供、変圧器が発する振動伝達の抑制、および放熱効率を高めて変圧器自体の小型化を実現する受配電設備を提供することを目的とする。
【００２１】
【課題を解決するための手段】
本発明第１の受配電設備は、前記課題を解決するために、計器用変圧変流器スペースは変圧器の上部の電力用コンデンサの上部の負荷開閉器の上部に配したことにより、受配電設備の設置床面積は計器用変圧変流器スペース又は変圧器又は電力用コンデンサのいずれかの最大取り付け床面積でほぼ決定されることとなる。
【００２２】
本発明第２の受配電設備は、高圧ケーブルスペースは受配電設備の底部に入線口を設け計器用変圧変流器スペース及び負荷開閉器及び電力用コンデンサ及び変圧器の前面左側に配しブラケットを変圧器の前面に配したことにより、受配電設備の左側に高圧ケーブル配線作業用スペースを設ける必要がなくなる。
【００２３】
本発明第３の受配電設備は、受配電設備台座に受配電設備の正面側に換気口を設け、受配電設備ケースに受配電設備の略垂直面の正面側が開閉可能な扉構造であり受配電設備の正面側の上部に換気口を設け配線用遮断器は操作方向が受配電設備の正面となるように変圧器の前面に配し負荷開閉器は操作方向が受配電設備の正面側として配したことにより、受配電設備の換気面及び操作面は受配電設備の正面側のみとなる。
【００２４】
本発明第４の受配電設備は、電力用コンデンサの高圧端子と負荷開閉器の二次側端子との高圧接続手段は金属帯とすることにより、強固に固定できる。
【００２５】
本発明第５の受配電設備は、避雷器の高圧端子は負荷開閉器の二次端子又は電力用コンデンサの高圧端子の近傍に配して負荷開閉器の二次端子又は電力用コンデンサの高圧端子と金属帯で接続固定して接地端子同士を金属帯で接続固定し受配電設備ケースに絶縁物を介して前記接地端子同士を接続固定しているので、前記高圧端子は電気的かつ機械的に負荷開閉器の二次端子及び電力用コンデンサの高圧端子に接続固定でき接地端子同士も電気的かつ機械的に接続固定できるとともに受配電設備ケースに機械的に固定される。
【００２６】
本発明第６の変圧器は、変圧器ケースと機械的に絶縁して固定する緩衝ゴムに固定された変圧器機能部と受配電設備を構成する機器を取り付けるための機器取付金具と変圧器を吊り上げ移動するための変圧器吊上用金具と放熱リブを変圧器の略垂直面の４面に備え、この構成により変圧器が発する振動伝達をおさえ、前記受配電設備を構成する機器を受配電設備ケースの外で変圧器ケースに配した機器取付用金具に取り付けた後に変圧器ごと受配電設備に収納することができるとともに放熱効率がよくなる。
【００２７】
本発明第７の変圧器は、上記本発明第６記載の放熱リブと前記変圧器に取り付ける受配電設備を構成する機器の間に遮熱手段を備え、この構成により変圧器機能部が発する熱は前記受配電設備を構成する機器に伝わりにくくなる。
【００２８】
【発明の実施の形態】
以下、本発明の実施の形態について、図１から図９を用いて説明する。
【００２９】
（実施の形態１）
図１及び図２において、従来の技術で説明した構成と同一のものには、同一の符号を付して重複する説明を省略する。図１及び図２はそれぞれ、本実施の形態による受配電設備の右側面および、正面図を示す。なお、図１は、右側面図を示すので、図面左側が受配電設備の正面側、図面右側が背面側を示す。
【００３０】
図１において、１は受配電設備、２は受配電設備１の底部をなす受配電設備台座を示す。３は受配電設備台座２の周囲から鉛直上方に鉛直面を有して受配電設備１の外装をなす受配電設備ケースであり、扉４を有する。この扉４は受配電設備１の正面側にのみ設けられ、開閉可能な扉構造となっている。５は受配電設備台座２の上面に配した変圧器であり、低圧側出力部１７と高圧側入力部１８とを有する。６は変圧器５の上部空間に配した電力用コンデンサである。電力用コンデンサ６は、高圧端子７を有する。８は負荷開閉器であり、操作ハンドル９及び二次側端子１０を有する。１１は計器用変圧変流器取り付けスペースであり、計器用変圧変流器を取り付けるためのスペースとして設けている。１２は、変圧器５の前方に配された配線用遮断器であり、操作ハンドル１３、電源側端子１６および負荷側端子２０を有する。
【００３１】
１４は、変圧器５の低圧側の出力手段である低圧リード線であり、受配電設備の正面側に向いており、１５は、高圧側の入力手段である高圧リード線であり、受配電設備の背面側に向いている。また、配線用遮断器１２は、操作ハンドル１３の操作方向が受配電設備の正面となるように変圧器５の前面に配している。また、負荷開閉器８の操作ハンドル９の操作面も正面側にしている。このように、配線用遮断器１２および負荷開閉器８の操作ハンドル１３の操作方向を受配電設備の正面とすることで、受配電設備ケース３に設ける扉４は、受配電設備１の正面側に設けるのみでいいようにしている。
【００３２】
なお、低圧リード線１４は、絶縁電線からなり、変圧器５の低圧側出力部１７と配線用遮断器１２の電源側端子１６とを電気的に接続している。また高圧リード線１５も絶縁電線からなる変圧器５の高圧側の入力部１８と電力用コンデンサ６の高圧端子７とを電気的に接続している。
【００３３】
さらに、１９は低圧ケーブルスペースであり、配線用遮断器１２の負荷側端子２０と電気的に接続し受配電設備１の外部へ出力する低圧ケーブル用の配線スペースとして設けている。
【００３４】
また電力用コンデンサ６は、その高圧端子７が受配電設備１の正面に向くように変圧器５の上部空間に受配電設備ケース３背面に対し、ほぼ垂直にして配している。
【００３５】
また、負荷開閉器８は、操作ハンドル９の操作面が受配電設備の正面側、固定面が受配電設備ケース３の背面側となるようにし、また二次側端子１０が電力用コンデンサ６の高圧端子７の近傍になるように固定する。
【００３６】
また、２１は空洞部２２を有するアダプタ金具であり、負荷開閉器８の固定面と受配電設備ケース３の背面板間に配している。そして負荷開閉器８は、そのアダプタ金具２１を介して受配電設備ケース３の背面板に固定する。
【００３７】
２３は第１の金属帯であり、本実施の形態では銅帯製のものを使用する。第１の金属帯２３は高圧接続手段として用い、負荷開閉器８の二次側端子１０と電力用コンデンサ６の高圧端子７とを電気的に接続している。
【００３８】
２４は避雷器であり、負荷開閉器８と電力用コンデンサ６の間の空間に配し、高圧端子２５とその反対側に接地端子２６を設け、高圧端子２５は受配電設備の前方かつ下向きとなるよう傾斜をつけて配している。さらに高圧端子６３は、負荷開閉器８の二次側端子１０及び電力用コンデンサ６の高圧端子７の近傍に配し、負荷開閉器８の二次側端子１０又は電力用コンデンサ６の高圧端子７と第１の金属帯２７で接続固定している。なお、第１の金属帯２３および２７は別部品としているが、高圧側の同電位であるので、形状を適宜構成することで一体にしてもよい。
【００３９】
さらに、避雷器２４は、図２に示す様に複数あり、複数の避雷器２４の接地端子２６同士を第２の金属帯２８で接続固定し、受配電設備ケース３の背面にエポキシ等の材料を用いた絶縁物２９を介して接続固定する。
【００４０】
また、図２において、３０は、計器用変圧変流器用スペース１１の一次側であり、一次側３０が受配電設備１の正面に向かって左側になるようにしている。また、３１は高圧電線スペースであり、計器用変圧変流器スペース１１の受配電設備の正面に向かって右側に配し、負荷開閉器８の一次側端子３４と計器用変圧変流器用スペース１１に取り付けられる計器用変圧変流器の二次側３２とを電気的に接続する高圧電線を配するために設けている。
【００４１】
また３３は、高圧ケーブル配線スペースであり、高圧ケーブルを配するために受配電設備の正面に向かって左側に配したスペースである。高圧ケーブル配線スペース３３の位置に配する高圧ケーブルは、計器用変圧変流器スペース１１に取り付けられる計器用変圧変流器の一次側３０と電気的に接続し、受配電設備台座の底部に設けた入線口３７を通って受配電設備１の外部から入力される。
【００４２】
また３５はブラケットであり、受配電設備の正面に向かって左側に配し、入線口３７と共に、高圧ケーブル配線スペース３３に取り付けられる高圧ケーブルを保持する。
【００４３】
なお、変圧器５は、例えばコンビネーショントランス等の三相単相共用変圧器としてもよい。また、第１の金属帯２３をなくして負荷開閉器８の二次側端子１０と電力用コンデンサ６の高圧端子７とを直接接続してもよい。さらに、受配電設備ケース３は正面側が扉構造としたが、正面以外の面も開閉可能な扉構造または取り外し可能な側板構造としてもよい。
【００４４】
また、高圧ケーブル配線スペース３３に取り付けられる高圧ケーブルは左側に配線し、高圧電線スペース３１は右側に配線するようにしたが、設備の都合により、いずれの側にあってもよい。
【００４５】
以上で説明した本実施の形態の受配電設備では、下から順に、変圧器５、電力用コンデンサ６、避雷器２４、負荷開閉器８を並べ、さらにその上部に配計器用変圧変流器スペース１１を配したことにより、受配電設備の設置床面積は計器用変圧変流器スペース１１又は変圧器５又は電力用コンデンサ６及び避雷器２４のいずれかの最大取り付け床面積でほぼ決定されるため設置床面積の小さな受配電設備を提供することができる。
【００４６】
なお、設備容量１００ｋＶＡ程度までの受配電設備の設置床面積は一次側二次側の配線スペースを含んだ計器用変圧変流器の設置床面積が最も大きく、従来の受配電設備の設置床面積に比べて約１／２程度となる。
【００４７】
さらに、電力用コンデンサ６は高圧端子７を受配電設備の正面に向くように配し、また変圧器５の高圧側の入力手段である高圧リード線１５は電力用コンデンサ６の高圧端子７に直接接続できるようにしたことにより、充電部の締結部及び高圧の充電部位が少なくなり、受配電設備１の背面側の充電部の締結部位がなくなるので組み立て作業及び整備作業は受配電設備の正面側のみの作業でできるようになり、信頼性及び安全性及び作業性の優れた受配電設備を提供することができる。
【００４８】
さらに、配線用遮断器１２は、取り付け面を変圧器５の前方にして操作ハンドル１３の操作面を受配電設備１の正面にし、また変圧器５の低圧側の出力手段である低圧リード線１４を配線用遮断器１２の電源側端子１６に直接接続している。このことにより、充電部の締結部及び配線用遮断器１２の操作部付近の充電部位が少なくなり、充電部の締結部位が受配電設備１の正面側のみとなるので組み立て作業及び整備作業及び操作は受配電設備１の正面側のみの作業でできるようになり、信頼性及び安全性及び作業性の優れた受配電設備を提供することができる。またこのことにより、低圧リード線１４が短くでき、経済性及び組み立て性に優れた受配電設備を提供することができる。
【００４９】
さらに変圧器５は、高圧側の入力手段である高圧リード線１５を受配電設備１の背面側に配し、電力用コンデンサ６は変圧器５の上部空間に、その高圧端子７が受配電設備１の正面に向くように受配電設備ケース３の背面にほぼ垂直な方向に配することにより、コンデンサ６と変圧器５の高圧側の入力部１８とを接続する高圧リード線１５が短くでき、経済性及び組み立て性に優れた受配電設備を提供することができる。
【００５０】
さらに、負荷開閉器８の二次側端子１０を電力用コンデンサ６の高圧端子７の近傍に配したことにより、高さの低い受配電設備を提供することができる。
【００５１】
さらに、高圧接続手段である第１の金属帯２３は、例えば銅帯製とすることにより、電力用コンデンサ６の高圧端子７は負荷開閉器８の二次側端子１０と強固に固定できるので、受配電設備１の輸送中における電力用コンデンサ６の高圧端子７及び負荷開閉器８の二次側端子１０付近の損傷を防止することができ、信頼性の優れた受配電設備を提供することができる。
【００５２】
さらに、避雷器２４は、高圧端子２５を受配電設備１の前方に下向きとなるように傾斜をつけて負荷開閉器８と電力用コンデンサ６の間の空間に配している。また、負荷開閉器８はその固定面を受配電設備ケース３の背面板と平行にし、その固定面と受配電設備ケース３の背面板間の空間にアダプタ金具２１を介して、受配電設備ケース３の背面板に固定して配しており、避雷器２４の接地端子２６はアダプタ金具２１に有する空洞部２２に収めることが可能となり受配電設備１の高さ方向に避雷器２４の取り付けスペースを必要としないので、高さの低い受配電設備を提供することができる。
【００５３】
さらに、避雷器２４の高圧端子２５は、負荷開閉器８の二次側端子１０及び電力用コンデンサ６の高圧端子７の近傍に配し、負荷開閉器８の二次側端子１０又は電力用コンデンサ６の高圧端子７と第１の金属帯２３で接続固定している。また、避雷器２４は複数あり、それらの接地端子２６同士を第２の金属帯２８で接続固定し、さらに受配電設備ケース３に絶縁物２９を介して固定しているので、避雷器２４の高圧端子２５は、電気的かつ機械的に負荷開閉器８の二次端子６０及び電力用コンデンサ６の高圧端子５８に接続固定できる。また、複数の避雷器２４の接地端子６２同士も電気的かつ機械的に接続固定できるとともに受配電設備ケース３に機械的に固定できるので、避雷器２４を取り付けするためのブラケット等が不要となり作業性及び経済性の優れた受配電設備を提供することができる。
【００５４】
さらに、高圧ケーブル配線スペース３３は、受配電設備台座２に入線口３７を設け、計器用変圧変流器スペース１１、負荷開閉器８、避雷器２４、電力用コンデンサ６、及び変圧器５を上部に積み重ねてなる受配電設備の、正面に向かって左側に配したことにより、受配電設備の高さ方向に対して高圧ケーブルの配線スペースを長い距離を確保することができるため、作業性の優れた受配電設備を提供することができる。
【００５５】
（実施の形態２）
実施の形態２について図３、図４を用いて説明する。
【００５６】
図３は、本実施の形態における受配電設備の内部の左側面図であり、図の右側が正面側、図の左側が背面側である。図４は、本実施の形態における受配電設備の内部の正面図を示す。本実施の形態において実施の形態１と同様の箇所については同一の符号を付して重複する説明を省略する。
【００５７】
２４は避雷器であり、高圧端子２５を有し、高圧端子２５の反対側に接地端子２６を設けている。そして、避雷器２４は、電力用コンデンサ６と変圧器５の間の空間に配し、高圧端子２５を受配電設備１の前方に、上向きとなるよう傾斜をつけて配している。さらに、避雷器２４の高圧端子２５は、電力用コンデンサ６の高圧端子７の近傍に配し、高圧端子７と第１の金属帯２７で固定している。本実施の形態では第１の金属帯２７に銅帯を使用している。また、避雷器２４は複数あり、それらの接地端子２６同士を第２の金属帯２８で接続固定し受配電設備ケース３に絶縁物２９を介して固定している。
【００５８】
本実施の形態では、実施の形態１と同様に、受配電設備台座２の上に、下から順に変圧器５、避雷器２４、電力用コンデンサ６、負荷開閉器８、計器用変圧変流器スペース１１を設け、それらの前面左側に高圧ケーブル配線スペース３３を設けている。高圧ケーブル配線スペース３３に配される高圧ケーブルは、受配電設備台座２に設けた入線口３７を通って受配電設備１の外部から入力され、計器用変圧変流器スペース１１に取り付けられる計器用変圧変流器の一次側３０と電気的に接続する。また、３５はブラケットであり、変圧器５の前面に配し、高圧ケーブル配線スペース３３に取り付けられる高圧ケーブルを保持するはたらきをする。
【００５９】
なお、変圧器５はコンビネーショントランス等の三相単相共用変圧器としてもよい。
【００６０】
なお、高圧接続手段である第１の金属帯２３をなくして負荷開閉器８の二次側端子６０と電力用コンデンサ６の高圧端子７とを直接接続してもよい。
【００６１】
なお、受配電設備ケース３は正面側が扉構造としたが、正面以外の面も開閉可能な扉構造または取り外し可能な側板構造としてもよい。
【００６２】
なお、負荷開閉器８の固定面と受配電設備ケース３の背面板間の空間はなくてもよい。
【００６３】
以上のように、本実施の形態によれば、避雷器２４は電力用コンデンサ６と変圧器５の間の空間に配し、高圧端子２７と、その反対側に接地端子２６とを設け、高圧端子２７は、受配電設備１の前方かつ上向きとなるよう傾斜をつけて配しているので、変圧器５の蓋５ａを取り外す際の作業空間が広くなるとともに、避雷器２４の高圧端子２５と、電力用コンデンサ６の高圧端子７との距離を短くすることができ、作業性及び経済性の優れた受配電設備を提供することができる。
【００６４】
さらに、避雷器２４の高圧端子２５は、電力用コンデンサ６の高圧端子７の近傍に配して、高圧端子７と銅帯を使用した第１の金属帯２３で接続固定している。また、避雷器２４は複数あり、それらの接地端子２６同士を第２の金属帯２８で接続固定し、さらに受配電設備ケース３に絶縁物２９を介して固定している。そして、避雷器２４の高圧端子２５は、電気的かつ機械的に電力用コンデンサ６の高圧端子７に接続固定でき、接地端子２６同士も電気的かつ機械的に接続固定でき、しかも受配電設備ケース３に機械的に固定できるので、避雷器２４を取り付けるためのブラケット等が不要となり作業性及び経済性の優れた受配電設備を提供することができる。
【００６５】
さらに、高圧ケーブルを配するための高圧ケーブル配線スペース３３は、高さ方向に配した計器用変圧変流器スペース１１、負荷開閉器８、電力用コンデンサ６、避雷器２４、及び変圧器５の前面左側に配し、高圧ケーブルを入力させる入線口３７を受配電設備の底部に設け、さらに変圧器５の前面にブラケット３５を配したことにより、受配電設備の高さ方向に対して高圧ケーブルの配線スペースを長い距離で確保することができる。
【００６６】
また、受配電設備の前面から容易に配線作業ができ、受配電設備の左側に高圧ケーブル配線作業用スペースを設ける必要がなくなるので、実施の形態１の構成における受配電設備の設置床面積よりも高圧ケーブル配線作業用スペース分小さくすることができる。このように本実施の形態では、配線作業性が優れ、設置床面積が小さい受配電設備を提供することができる。
【００６７】
また、本実施の形態において、受配電設備台座２の受配電設備正面側に換気口３６を設け、受配電設備ケース３の正面側上部に換気口３６を設けることにより、受配電設備の換気面及び操作面が受配電設備の正面側のみとなるので、受配電設備の設置床面積以外に必要となる作業スペース等を最小限で抑えることができ、設置保有スペースの小さい受配電設備を提供することができる。
【００６８】
このことについて図５を用いて詳細に説明する。図５は、本実施の形態における受配電設備の設置状態を示す平面図であり、４は扉であり、４ａは扉４の軌道を示す。また、１ａは受配電設備の設置床スペースであり、四角形ＡＢｃｄの部分、１ｂは受配電設備の設置保有スペースであり、四角形ＡＢＧＨの部分である。すなわち点Ａ及び点Ｂはそれぞれ、受配電設備の設置床スペース１ａ及び設置保有スペース１ｂの後左角点及び後右角点、点ｃ及び点ｄはそれぞれ、受配電設備の設置床スペース１ａの前右角点及び前左角点、点Ｇ及び点Ｈはそれぞれ、受配電設備の設置保有スペース１ｂの前右角点及び前左角点を示す。
【００６９】
このように、１ａは前記受配電設備の設置床スペース各角部を結んだ四角形ＡＢｃｄを指す受配電設備の設置床スペース、１ｂは受配電設備の設置保有スペース各角部を結んだ四角形ＡＢＧＨを指す受配電設備の設置保有スペースである。
【００７０】
図５で示す様に、換気口３６を、扉４を備える受配電設備の正面側に配することにより、受配電設備の設置保有スペース１ｂを設置床スペース１ａの正面側に追加して設けるだけでよい。したがって、受配電設備の設置床面積以外に必要となる作業スペース等を最小限で抑えることができ、設置保有スペースの小さい受配電設備を提供することができる。
【００７１】
なお、受配電設備台座２は受配電設備１の正面側に換気口３６を設け、受配電設備ケース３は受配電設備の正面側の上部に換気口３６を設けるとしたが、受配電設備の正面側であればどこに配してもよい。また換気口３６に換気扇等の強制換気手段を配するといっそう効果が得られる。
【００７２】
（実施の形態３）
実施の形態３について、図６及び図７を用いて説明する。図６は本実施の形態における受配電設備の左側面断面図、図７は本実施の形態における受配電設備の内部の左側面図を示す。図６、図７とも図右側が正面側。図左側が背面側である。本実施の形態において実施の形態１と同様の箇所については同一の符号を付して重複する説明を省略する。
【００７３】
図６及び図７において、５ｂは変圧器５の外装をなす変圧器ケース、５ｅは変圧器ケース５ｂ内部の底部に配した緩衝ゴム、５ａは変圧器ケース５ｂ内部に緩衝ゴム５ｅを介して変圧器ケース５ｂと機械的に絶縁して固定した鉄芯とコイルとを主体として構成した変圧器機能部、５ｇは変圧器ケース５ｂの略鉛直面の前面と左側面との２面にまたがって略鉛直に配した機器取付用金具、１８は変圧器ケース５ｂ内部の変圧器機能部５ａの高圧立ち上がりリード線５ｊと内部接続した高圧端子、１６は変圧器ケース５ｂ内部の変圧器機能部５ａの低圧立ち上がりリード線５ｋと内部接続した低圧端子、５ｈは変圧器ケース５ｂに固定した変圧器吊上用金具、５ｆは変圧器ケース５ｂの略鉛直面である４面に配した放熱リブ、１２は機器取付用金具５ｇに固定した配線用遮断器、１４は配線用遮断器１２の電源側端子１２ａと変圧器５の低圧端子１６とを接続する低圧電線、１５は電力用コンデンサ６の高圧端子７と電気的に接続する高圧絶縁電線、３５は変圧器５の機器取付用金具５ｇの左側面側に固定した高圧ケーブルを固定するブラケットを示す。
【００７４】
なお、変圧器ケース５ａには機器取付用金具５ｇを複数個取り付けてもよい。なお、ブラケット３５は機器取付用金具５ｇの左側面側に固定するとしたが、機器取付用金具５ｇは変圧器ケース５ｂの周囲の略鉛直面に配し、ブラケット３５は変圧器ケース５ｂの略垂直面の前面側に固定した実施の形態２のようにしてもよい。
【００７５】
なお、高圧端子１８は、変圧器ケース５ｂ内部の変圧器機能部５ａの高圧立ち上がりリード線５ｊと内部接続した高圧端子であるが、変圧器機能部５ａの高圧立ち上がりリード線５ｊと内部接続した絶縁電線を変圧器ケース５ｂの外部に引き出すように構成し、高圧端子１８及び高圧絶縁電線１５をなくしてもよい。
【００７６】
同様にして、低圧端子１６及び低圧電線１４をなくしてもよい。
【００７７】
本実施の形態によれば、変圧器機能部５ａは、緩衝ゴム５ｅを介して変圧器ケース５ｂに固定しているので、受配電設備の運転時に発生する変圧器機能部５ａの振動が、変圧器機能部５ａ以外の構成物に伝達しにくくなる。また、このような変圧器５の振動を抑制する構造により、配線用遮断器１２を機器取付用金具５ｇに固定する構造において、配線用遮断器１２及び低圧電線１４及び低圧ケーブルスペース１９に取り付けられる低圧ケーブルの締結固定力の退化に対して耐力が増すので、低騒音かつ低振動である信頼性の優れた受配電設備を提供することができる。
【００７８】
さらに変圧器５は、配線用遮断器１２及びブラケット３５を取り付ける機器取付用金具５ｇと変圧器吊上用金具５ｈを備えており、受配電設備ケース３の外で、配線用遮断器１２及びブラケット３５の取付作業及び付随する配線作業を受配電設備ケース３の外の広いスペースで行った後に、変圧器吊上用金具５ｈを使用して受配電設備ケース３へ挿入することができるので受配電設備を容易に製作することができる。また、それとともに、受配電設備ケース３内部での作業スペースが不要となり、その内部作業スペース分を省くことにより、小型化でき、経済性に優れ設置床面積の小さい受配電設備を提供することができる。
【００７９】
また、変圧器ケース５ｂには低圧端子１８と機器取付用金具５ｇが固定され、機器取付用金具５ｇには配線用遮断器１２が固定され、さらに、配線用遮断器１２には低圧電線１４がそれぞれ固定されて一体となっているため、変圧器ケース５ｂと低圧端子１８と機器取付用金具５ｇと配線用遮断器１２と低圧電線１４とにかかる受配電設備の輸送中の振動の周波数はほぼ同じとなる。このため、受配電設備の輸送中における低圧電線１４の破損を防止することができ、信頼性の優れた受配電設備を提供することができる。
【００８０】
さらに、放熱リブ５ｆは変圧器ケース５ｂの略鉛直面である４面に配しているので、放熱効率がよくなり、変圧器５の固定床面積を小さくすることができ設置床面積の小さい受配電設備を提供することができる。
【００８１】
（実施の形態４）
実施の形態４について図８を用いて説明する。
【００８２】
本実施の形態において実施の形態３と同様の箇所については同一の符号を付して重複する説明を省略する。図８は本実施の形態における受配電設備の左側面図を示すものであり、図右側が受配電設備の正面側、図左側が背面側を示す。５ｉは、機器取付用金具５ｇと放熱リブ５ｆとの間に機器取付用金具５ｇと略平行な面に配した遮熱板である。
【００８３】
なお、放熱リブ５ｆと遮熱板５ｉとの間隙距離は１８ｍｍ程度にすることにより、放熱リブ５ｆへの通気放熱効果を妨げにくくかつ変圧器５から遮熱板５ｉへの輻射により遮熱板５ｉが変圧器５の放熱作用を行うため変圧器５の温度上昇を抑えることができる。
【００８４】
なお、遮熱板５ｉの材料に鉄を用いた場合、機器取付用金具５ｇと遮熱板５ｉとの間隙距離は１０ｍｍ以上確保することにより機器取付用金具５ｇと遮熱板５ｉとの間隙への通気を促進し、機器取付用金具５ｇと遮熱板５ｉに放熱効果が生じる。
【００８５】
本実施の形態によれば、遮熱板５ｉを機器取付用金具５ｇと放熱リブ５ｆとの間に配したことにより、変圧器機能部５ａから発生する熱を機器取付用金具５ｇに伝達しにくくできるため、熱に弱い機器を機器取付用金具５ｇに取り付けることが可能となるので熱に弱い機器においても、実施の形態２と同様の効果を得ることができる。
【００８６】
また、遮熱板５ｉの用いる材料は鉄に限らず、ＦＲＰなどの断熱性のある物質を用いることでも、機器取付用金具５ｇと遮熱板５ｉとの間隙距離を適当な距離に設定することにより、同様の効果を得る。
【００８７】
【発明の効果】
以上のように、本発明は、設置床面積の小さな受配電設備を提供することができる。
【図面の簡単な説明】
【図１】本発明の実施の形態１における受配電設備の内部の右側面図
【図２】本発明の実施の形態１における受配電設備の内部の正面図
【図３】本発明の実施の形態２における受配電設備の内部の右側面図
【図４】本発明の実施の形態２における受配電設備の内部の正面図
【図５】本発明の実施の形態３における受配電設備の設置状態を示す上面図
【図６】本発明の実施の形態４における受配電設備の左側面断面図
【図７】本発明の実施の形態４における受配電設備の内部の左側面図
【図８】本発明の実施の形態５における受配電設備の左側面断面図
【図９】受配電設備の電気系統図
【図１０】従来の受配電設備の右側面断面図
【図１１】従来の受配電設備の内部の正面図
【図１２】従来の受配電設備の設置状態を示す上面図
【符号の説明】
１　　受配電設備
２　　受配電設備台座
３　　受配電設備ケース
４　　受配電設備ケースの扉
５　　変圧器
５ａ　変圧器機能部
５ｂ　変圧器ケース
５ｅ　緩衝ゴム
５ｆ　放熱リブ
５ｇ　機器取付用金具
５ｈ　変圧器吊上用金具
５ｉ　遮熱板
６　　電力用コンデンサ
７　　電力用コンデンサの高圧端子
８　　負荷開閉器
９　　負荷開閉器の操作ハンドル
１０　負荷開閉器の二次側端子
１１　計器用変圧変流器取り付けスペース
１２　配線用遮断器
１３　配線用遮断器の操作ハンドル
２１　アダプタ金具
２２　アダプタ金具の空洞部
２３、２７　第１の金属帯
２４　避雷器
２５　避雷器の高圧端子
２６　避雷器の接地端子
２８　第２の金属帯
２９　絶縁物
３３　高圧ケーブル配線スペース
３５　ブラケット
３６　換気口
３７　入線口
【図１】
2004112962.tif 000003
【図２】
2004112962.tif 000004
【図３】
2004112962.tif 000005
【図４】
2004112962.tif 000006
【図５】
2004112962.tif 000007
【図６】
2004112962.tif 000008
【図７】
2004112962.tif 000009
【図８】
2004112962.tif 000010
【図９】
2004112962.tif 000011
【図１０】
2004112962.tif 000012
【図１１】
2004112962.tif 000013
【図１２】
2004112962.tif 000014